(57)【要約】      （修正有）【課題】肩にかけた際のフィット感を失うことがなく、バッグ本体を自立させるための強度を有する、ビジネスバッグを提供する。【解決手段】開口部が設けられた上面と、軟質素材からなる側面と、略四角形の底面とからなる、略直方体形状のバッグ本体と、底面の四隅からほぼ鉛直に、側面の四隅それぞれに沿って一体的に設けられた芯状部材収容部５と、芯状部材収容部に収容され固定された、硬質素材からなる芯状部材とを備える。【選択図】図１
0003204930.tif 000002
【実用新案登録請求の範囲】
【請求項１】
開口部が設けられた上面と、軟質素材からなる側面と、略四角形の底面とからなる、略直方体形状のバッグ本体と、
前記底面の四隅からほぼ鉛直に、側面の四隅それぞれに沿って一体的に設けられた芯状部材収容部と、
前記芯状部材収容部に収容され固定された、硬質素材からなる芯状部材とを備え、
バッグ本体を自立させるための強度を有することを特徴とするビジネスバッグ。
【請求項２】
前記芯状部材は、熱可塑性樹脂からなることを特徴とする、請求項1に記載のビジネスバッグ。
【請求項３】
前記芯状部材収容部は、前記芯状部材を包む軟質素材により構成され、バッグ本体側面に縫製または接着され固定されたことを特徴とする、請求項１または２のいずれかに記載のビジネスバッグ。
【請求項４】
前記芯状部材収容部は、前記底面の四隅からほぼ鉛直に、バッグ本体の底面から上面までの長さの少なくとも半分以上の長さにわたり、側面の四隅それぞれに沿って一体的に設けられたことを特徴とする、請求項１〜３のいずれかに記載のビジネスバッグ。
【考案の詳細な説明】
【技術分野】
【０００１】
本考案は、バッグ本体を自立させるための強度を有するビジネスバッグに関するものである。
【背景技術】
【０００２】
【特許文献１】特開２０１４−２１７５０９
【特許文献２】特開２００２−３７３８５
【特許文献３】特開平８−２６６６９６
【０００３】
従来、主として矩形のビジネスバッグをはじめとする、皮革、人工皮革、各種樹脂、布などを使用したビジネスバッグが知られている。
そのような各種の軟質素材を使用したバッグは、収納力や肩にかけた際のフィット感などを有する利点があるものの、型崩れしやすく、また収納量が少ない状態の時などには、バッグを置いたときには支えがなく倒れやすいものである。
このため、型崩れしにくい素材を用いたり、特に比較的硬質の素材を縁取り部分に設けるなどして、型崩れしにくく工夫がなされてきたものの、バッグが倒れやすい欠点はほとんど変わることがなかった。
【０００４】
そこで、バッグが倒れやすい欠点を解決しようとするものとして、たとえば、特開２０１４−２１７５０９「カバン用自立具」においては、自立しづい大きさや形状の異なるバックでも、簡単に自立でき、かつ従来と同様に使用できるとともに、不使用時にきれいに使用することができるカバン用自立具が開示されている。
上記発明は、自立しづらいカバンの内底の側面に面接触状態で添うように位置させることができる可撓性の帯状のベルトと、この帯状のベルトをカバンの内底の側面に添うようなリング状の長さに保持する保持具とでカバン用自立具を構成している。
しかしながら、上記発明は、カバンの底に近い部分の側面を内側から補強するものであって、カバンの底面の形状が型崩れしにくくなる効果は有するものの、底に近い部分だけを補強しているので、荷物を入れた時にその重心が高いと、やはりカバンは倒れやすい。
また、上記発明の自立具は、カバンの内側に入れることにより機能するものの、単にカバンの収納部に入れるだけなので、荷物の出し入れなどには邪魔である。
【考案の概要】
【考案が解決しようとする課題】
【０００５】
一方、バッグ以外の分野においては別の解決方法も模索されている。
特開２００２−３７３８５「コンテナバッグ」においては、複数回使用可能で、しかも自立し且つコンパクトに折り畳み可能な大容量のコンテナバッグが開示されている。
上記発明は、上面を開口し、底面及び側面を柔軟な膜体で構成した大型な略直方体状のバッグ本体の上部４辺に、折曲可能な棒状の第１芯材を一体的に設け、バッグ本体の鉛直４辺にはバッグの自立に必要な強度を有する棒状の第２芯材を一体的に設けたものである。
上記発明によれば、バッグの自立は可能になるものの、コンテナバッグは建築・土木の廃材などを収容するために、大型の略立方体形状のバッグに最大限に物を詰め込む用途のものであるため、略立方体形状の角辺それぞれに棒状の芯材を入れるというものである。
したがって、これをそのままビジネスバッグに応用してしまうと、物を収納していないときでも、バッグのすべての辺に設けられた棒状の芯材があるために、立方体あるいは直方体の骨組のようなバッグのようになってしまい、肩にかけた際のフィット感などが失われることになる。
【０００６】
一方、ビジネスバッグ以外の分野においては別の解決方法も模索されている。
特開平８−２６６６９６「ゴルフバッグ」においては、合成樹脂製の筒状部材をゴルフクラブ収納部に使用するタイプのゴルフバッグにおいて、強度と耐久性を備えるとともに、軽量化することができるゴルフバッグが開示されている。
上記発明は、バッグ本体のゴルフクラブ収納部を構成し、可撓性と、バッグ本体を自立させうる程度の強度とを有する発泡合成樹脂等からなる筒状部材と、筒状部材の外周に装着される合成樹脂布製の表装材と、表装材の内側で前記筒状部材の長手方向に沿うように配設された可撓性を有する補強用の芯材とを有するゴルフバッグである。
上記発明によれば、ゴルフバッグ本体の側面を構成する筒状部材と、これを補強する補強用の芯材との相互の働きにより、バッグを自立させることができる。
しかしながら、上記発明は、バッグ自体が筒状であるゴルフバッグ本体が筒状部材を構成するものであり、これをそのままビジネスバッグに利用することはできない。また、バッグ本体が筒状部材となっているため、肩にかけた際のフィット感などが失われることになる。
【０００７】
そこで本考案においては、上記の様々な課題を解決し、開口部が設けられた上面と、軟質素材からなる側面と、略四角形の底面とからなる、略直方体形状のバッグ本体を有するビジネスバッグにおいて、バッグ本体を自立させるための強度を有する、ビジネスバッグを提供することを目的とする。
【課題を解決するための手段】
【０００８】
上記課題を解決するため、請求項１に記載の考案は、
開口部が設けられた上面と、軟質素材からなる側面と、略四角形の底面とからなる、略直方体形状のバッグ本体と、
前記底面の四隅からほぼ鉛直に、側面の四隅それぞれに沿って一体的に設けられた芯状部材収容部と、
前記芯状部材収容部に収容され固定された、硬質素材からなる芯状部材とを備え、
バッグ本体を自立させるための強度を有する、ビジネスバッグであることを特徴とする。
【０００９】
上記課題を解決するため、請求項２に記載の考案は、
前記芯状部材は、熱可塑性樹脂からなる、請求項1に記載のビジネスバッグであることを特徴とする。
【００１０】
上記課題を解決するため、請求項３に記載の考案は、
前記芯状部材収容部は、前記芯状部材を包む軟質素材により構成され、バッグ本体側面に縫製または接着され固定された、請求項１または２のいずれかに記載のビジネスバッグであることを特徴とする。
【００１１】
上記課題を解決するため、請求項４に記載の考案は、
前記芯状部材収容部は、前記底面の四隅からほぼ鉛直に、バッグ本体の底面から上面までの長さの少なくとも半分以上の長さにわたり、側面の四隅それぞれに沿って一体的に設けられた、請求項１〜３のいずれかに記載のビジネスバッグであることを特徴とする。
【考案の効果】
【００１２】
これらにより、開口部が設けられた上面と、軟質素材からなる側面と、略四角形の底面とからなる、略直方体形状のバッグ本体を有するビジネスバッグにおいて、バッグ本体を自立させるための強度を有する、ビジネスバッグを提供することができる。
【図面の簡単な説明】
【００１３】
【図１】本考案のビジネスバッグの一例を斜視図である。
【図２】ビジネスバッグの底面を上から見た断面図である。
【図３】図２に示した芯状部材収容部及び芯状部材の部分拡大断面図である。
【図４】本考案のビジネスバッグの別の一例を斜視図である。
【考案を実施するための形態】
【００１４】
以下、図面を参照して、本考案のビジネスバッグについて説明する。
図１は、本考案のビジネスバッグの一例を斜視図である。
本考案は、略直方体形状のバッグ本体を有するビジネスバッグであって、開口部１が設けられた上面２と、軟質素材からなる側面３と、略四角形の底面４とから形成される。
本考案のビジネスバッグは、略直方体形状のものが想定されるが、厳密な直方体形状ではなく、各種の形状、サイズのものを採用することができる。バッグ本体の厚みも様々なものを採用することができ、上面２と底面４がほぼ同じサイズのものや、上面２は底面４より幅が狭い等の異なるサイズであってもよい。またバッグ本体は縦長でも横長でもよい。
ビジネスバッグの底面４は、略四角形の形状であり、角は直角でも、丸みを帯びていてもよい。
また、持ち手、肩掛けベルト、背負いベルト、あるいはこれらを取り付けるための金具・皮革・その他の部材は、適宜取り付けられていてよい。
バッグ本体は、その本体皮革、人工皮革、各種樹脂、布などの軟質素材を使用したものであり、素材の種類には限定されない。また適宜、補強用あるいは装飾用の部材や、ポケットその他の収納部が設けられていてもよい。
【００１５】
図２は、ビジネスバッグの底面を上から見た断面図である。
本考案のビジネスバッグは、バッグ本体の底面４の四隅からほぼ鉛直に、バッグ本体の側面３の四隅それぞれに沿って、芯状部材収容部５が一体的に設けられている。
芯状部材収容部５は、好ましい一例としては、後述する芯状部材６を包む軟質素材により構成され、バッグ本体側面３に縫製または接着され固定されたものである。
図３は、図２に示した芯状部材収容部及び芯状部材の部分拡大断面図である。
【００１６】
次に、本考案のビジネスバッグは、バッグ本体の側面３の四隅それぞれに沿って設けられた芯状部材収容部５に収容され固定された、硬質素材からなる芯状部材６を備えている。
芯状部材６は、好ましい一例としては、熱可塑性樹脂からなるものである。
たとえば、熱可塑性ポリウレタン（ＴＰＵ）を芯状部材６の素材として採用すれば、ゴムのような弾力性と硬質プラスチックのような強靭さとを備え、ビジネスバッグの柔軟性と自立性とを兼ね備えるために好ましい。
また芯状部材６は、必要な強度を有する芯材であれば、中空カーボンの芯材や、板状の棒のようなものであってもよい。他の材質、一例としてはグラスファイバー、木、竹、合成樹脂、金属、その他の素材を使用してもよく、その直径及び断面形状も適宜変更することができる。
【００１７】
図４は、本考案のビジネスバッグの別の一例を斜視図である。
図1に示される例では、芯状部材収容部５、及び芯状部材６は、底面４の四隅からほぼ鉛直に、バッグ本体の底面４から上面２までにわたり設けられている。
一方、図４に示される例では、芯状部材収容部５、及び芯状部材６は、底面４の四隅からほぼ鉛直に、バッグ本体の底面４から上面２までの長さの半分少々の長さにわたり設けられている。ビジネスバッグの自立性、安定性の観点からは、バッグ本体の底面４から上面２までの長さの少なくとも半分以上の長さにわたり、側面３の四隅それぞれに沿って一体的に設けられることが好ましい。
【００１８】
芯状部材６は、側面３の四隅それぞれに沿って、計４本配置されているため、外観上の不自然さを生じることがない。さらに、芯状部材収容部５はバッグの側面３との固定が確実にされているため、全体の強度や安定性にも優れたものとなる。
【産業上の利用可能性】
【００１９】
以上詳細に説明したように、本考案によれば、開口部が設けられた上面と、軟質素材からなる側面と、略四角形の底面とからなる、略直方体形状のバッグ本体を有するビジネスバッグにおいて、バッグ本体を自立させるための強度を有する、ビジネスバッグを提供することができる。
【符号の説明】
【００２０】
１  開口部
２  上面
３  側面
４  底面
５  芯状部材収容部
６  芯状部材
【図１】
0003204930.tif 000003
【図２】
0003204930.tif 000004
【図３】
0003204930.tif 000005
【図４】
0003204930.tif 000006